【手続補正書】
【提出日】平成26年5月28日(2014.5.28)
【手続補正１】
【補正対象書類名】明細書
【補正対象項目名】００３１
【補正方法】変更
【補正の内容】
【００３１】
好ましくは、各レール(2)の断面は正方形又は長方形であり、各固定デバイス(13)(14)の本体(11)(9)内に規定される各チャンネルは、正方形又は長方形の形状とされて、レール(2)の一部を受け入れる。本体(9)(11)は鋼で構成してよく、複合材料、高分子材料、セラミック材料、又は合金や、アルミニウム、鉄、亜鉛、ステンレス鋼等の他の種類の金属等の他の材料で同様に構成してもよい。コネクタアセンブリ(10)もまた鋼で構成してよく、複合材料、高分子材料、セラミック材料、又は合金や、アルミニウム、鉄、ステンレス鋼等の他の種類の金属等の他の材料で同様に構成してもよい。
【手続補正２】
【補正対象書類名】明細書
【補正対象項目名】００４６
【補正方法】変更
【補正の内容】
【００４６】
図１６Ａに見られるように、ブラケット(53)が各レール(52)又は各レール(2)に取り付けられてよい。ブラケット(53)は、作業面の底部を支持する略平坦な上面(53a)と、レールの上部を受け入れるように寸法決め及び構成された開口(53b)とを有する本体を備えている。ブラケット(53)は、隣り合う作業面(57)(58)の下側、且つこれらの間に配置されて、双方の作業面の一部を支持してよい。また、ファスナを用いて、ブラケットを各作業面(57)(58)に相互結合してもよい。各ブラケットの上面(53a)はまた、上面(53a)が支持する作業面の位置を維持する摩擦誘起表面(friction inducing surface)を備えてもよい。
【手続補正３】
【補正対象書類名】特許請求の範囲
【補正対象項目名】全文
【補正方法】変更
【補正の内容】
【特許請求の範囲】
【請求項１】
家具システムの個々の家具部品を相互に結合する固定装置であって、
少なくとも１つの固定デバイスを備えており
前記少なくとも１つの固定デバイスは、第１チャンネルを少なくとも部分的に規定する本体と、コネクタアセンブリ、及び前記本体に形成された開口の少なくとも一方とを備えており、
前記第１チャンネルは、第１家具部品である第１細長レールを受け入れるように寸法決め及び構成されており、前記第１細長レールの長さは、前記第１細長レールの最長寸法を規定し、前記第１チャンネルは、前記第１細長レールが、第１作業面の少なくとも一部を支持するように略水平な姿勢又は水平な姿勢に配置可能なように、前記第１細長レールの一部を受け入れて保持するように寸法決め及び構成されており、
前記コネクタアセンブリは、前記本体に取り付けられ、前記コネクタアセンブリは、第２家具部品に取り付けられるように寸法決め及び構成されている少なくとも１つの要素を有しており、前記第２家具部品は、前記第１細長レールが略水平な姿勢又は水平な姿勢にある場合に、前記第２家具部品の長さと第前記２家具部品の高さの少なくとも一方が、前記第１細長レールの長さに対して略垂直又は垂直な方向に延びるように配置可能であり、
前記本体に形成される前記開口は、前記第１チャンネルの下方にあり、第３家具部品の一部を受け入れるように寸法決め及び構成されており、前記第３家具部品は、前記第１細長レールが略水平な姿勢又は水平な姿勢にある場合に、前記第３家具部品の長さと前記第３家具部品の高さの少なくとも一方が、前記第１細長レールの長さに対して略垂直又は垂直な方向に延びるように配置可能である固定装置。
【請求項２】
少なくとも１つの掴みコネクタをさらに備えており、各掴みコネクタは、上側掴み部と、下側掴み部と、レール受入部とを備え、前記上側掴み部は、前記第１細長レールの一部を前記上側掴み部と前記下側掴み部の間に受け入れるように前記下側掴み部から離れており、前記上側掴み部と前記下側掴み部は、前記レール受入部に取り付けられ、
前記レール受入部は、第２細長レールの端部を受け入れるように寸法決め及び構成された開口を有し、前記第２細長レールの長さは、前記第２細長レールの最長寸法を規定し、前記第２細長レールの長さが、前記第１細長レールの長さに対して垂直又は略垂直な方向に延びるように、前記第２細長レールの端部は前記開口に受け入れ可能であり、第２作業面の少なくとも一部を支持するように前記第２細長レールが略水平な姿勢又は水平な姿勢に配置可能であるように、前記第２細長レールの端部は前記開口に配置可能である、請求項１に記載の固定装置。
【請求項３】
前記本体は開口を有しており、前記第３家具部品は、テーブル支持アセンブリ又は引出しユニットである、請求項２に記載の固定装置。
【請求項４】
前記本体は金属又は高分子材料でできており、前記コネクタアセンブリは金属又は高分子材料でできており、前記第１チャンネルは、前記本体の第１側部にある第１端部と、前記本体の前記第１側部の反対側にある前記本体の第２側部にある第２端部とを有し、前記レール受入部は、前記開口の口が前記第１チャンネルの前記第１端部及び前記第１チャンネルの前記第２端部に対して垂直な方向に向くように前記開口を規定している、請求項２に記載の固定装置。
【請求項５】
前記少なくとも１つの固定デバイスは前記開口を有しておらず、前記コネクタアセンブリの前記少なくとも１つの要素は、第１部分と、前記第１部分に取り付けられた第２部分とから構成されており、前記第１部分は、前記第２家具部品に規定された開口内に係合するように寸法決め及び構成されており、前記第２部分は、前記本体の一部に形成されたアパーチャ内に取り付けられるように寸法決め及び構成されており、前記アパーチャは、前記第１チャンネルの下方に位置するように前記本体に形成されている、請求項１に記載の固定装置。
【請求項６】
前記第２家具部品は、パネル部品又はスクリーン部品であり、少なくとも１つの固定機構が、前記本体に形成された前記アパーチャ内にて、前記コネクタアセンブリの前記第２部分を前記本体に固定するために使用される、請求項５に記載の固定装置。
【請求項７】
前記少なくとも１つの固定デバイスは、前記第１細長レールの一部が前記第１チャンネル内に保持されると、前記第１細長レールの一部と係合するように前記第１チャンネル内に配置可能である少なくとも１つのクランプ部材を備えている、請求項１に記載の固定装置。
【請求項８】
前記少なくとも１つのクランプ部材は、前記第１作業面の一部を直接支持するように寸法決め及び構成されている、請求項７に記載の固定装置。
【請求項９】
少なくとも１つのブラケットをさらに備えており、前記少なくとも１つのブラケットは、前記第１細長レールの一部を受け入れて保持するように寸法決め及び構成されているアパーチャを規定する本体を有しており、第４家具部品が前記少なくとも１つのブラケットに取り付けられて、前記少なくとも１つのブラケットが前記第１細長レール上に配置される場合に、前記第４家具部品が前記第１細長レールから支持される、請求項１に記載の固定装置。
【請求項１０】
前記第１家具部品はデスク又はテーブルである、請求項１に記載の固定装置。
【請求項１１】
作業空間を設けるように家具を組み立てる方法において、
各第１細長レールの長さは、その第１細長レールの最長寸法を規定している複数の第１細長レールを用意する工程と、
個々の家具部品を相互に結合する複数の固定デバイスを用意する工程とを含んでおり、
各固定デバイスは、本体と、コネクタアセンブリ、及び前記本体に形成された開口の少なくとも一方とを備えており、
前記本体は、第１チャンネルを少なくとも部分的に規定し、前記第１チャンネルは、前記複数の第１細長レールの１つの一部を受け入れるように寸法決め及び構成されており、前記第１チャンネルは、前記第１細長レールが、略水平な姿勢に配置されて第１作業面の少なくとも一部を支持するように、前記第１細長レールの一部を受け入れて保持するように寸法決め及び構成されており、
前記コネクタアセンブリは、前記本体に取り付けられており、前記コネクタアセンブリは、第２家具部品に取り付けられるように寸法決め及び構成される少なくとも１つの要素を有しており、前記第２家具部品は、前記第１細長レールが略水平な姿勢にある場合に、前記第２家具部品の長さと前記第２家具部品の高さの少なくとも一方が、前記第１細長レールの長さに対して略垂直な方向に延びるように配置可能であり、
前記本体に形成される前記開口は、前記第１チャンネルの下方にあり、第３家具部品の一部を受け入れるように寸法決め及び構成されており、前記第３家具部品は、前記第１細長レールが略水平な姿勢にある場合に、前記第３家具部品の長さと前記第３家具部品の高さの少なくとも一方が、前記第１細長レールの長さに対して略垂直な方向に延びるように配置可能であり、
各第１細長レールの一部が、前記複数の固定デバイスの個々の固定デバイスの第１チャンネルに配置されるように、前記複数の第１細長レールを配置する工程と、
第１作業面を、前記第１作業面が前記複数の第１細長レールによって少なくとも部分的に支持されるように配置する工程と、
前記第２家具部品の長さ、前記２家具部品の高さ、前記第３家具部品の長さ、及び前記第３家具部品の高さの少なくとも１つが、前記複数の第１細長レールの長さに対して略垂直な方向に延びるように、前記第２家具部品と第前記３家具部品の少なくとも一方を、前記複数の固定デバイスの少なくとも１つに取り付ける工程と、
を含んでいる、家具を組み立てる方法。
【請求項１２】
前記第２家具部品はパネル又は引出しユニットであり、前記第３家具部品はパネル又は引出しユニットである、請求項１１に記載の方法。
【請求項１３】
前記複数の固定デバイスの少なくとも１つは、コネクタアセンブリを有しており、前記コネクタアセンブリの少なくとも１つの要素は、第１部分と、前記第１部分に取り付けられた第２部分とから構成されており、前記第１部分は、前記第２家具部品に規定された開口内に係合するように寸法決め及び構成されており、前記第２部分は、前記本体の一部に形成されたアパーチャ内に取り付けられるように寸法決め及び構成されており、前記アパーチャは、前記第１チャンネルの下方に位置するように前記本体に形成される、請求項１１に記載の方法。
【請求項１４】
前記複数の固定デバイスの少なくとも１つは、コネクタアセンブリを有しており、前記コネクタアセンブリの少なくとも１つの要素は、前記本体と前記第２家具部品の間に配置されて前記第２家具部品に取り付けられるように寸法決め及び構成された部材から構成されており、少なくとも１つのファスナが、前記部材を前記第２家具部品に取り付けるために、前記第２家具部品と前記部材内に配置される、請求項１１に記載の方法。
【請求項１５】
前記複数の第１細長レールの各々の断面は、長方形、円形、多角形、又は正方形である、請求項１１に記載の方法。
【請求項１６】
前記第２家具部品は、前記第２家具部品の長さと前記第２家具部品の高さが、前記複数の細長レールの長さに対して略垂直な方向に延びるように、前記複数の固定デバイスの少なくとも１つのコネクタアセンブリを介して、その少なくとも１つの固定デバイスに取り付けられる、請求項１１に記載の方法。